(57)【要約】【課題】  従来の止め具は、メモ用紙などを止めることはできるが、それ以上の機能は備えていないため、変化に乏しい。【解決手段】  本発明では、前記磁石と、音発生装置と、スピーカと、それらの駆動電源として電池と、スイッチをぬいぐるみの内部に設けて、ぬいぐるみを前記磁石により金属に吸着できるようにしてある。また、ぬいぐるみを金属に吸着させると、スイッチの可動片が押し込まれ、金属から取り外すとスイッチの可動片が戻り、この押し込み、戻りにより前記スイッチがＯＮ又はＯＦＦとなって、音発生装置が作動し、スピーカから音が発生するようにしてある。【選択図】図１
2005168893.tif 000002
【特許請求の範囲】
【請求項１】
ぬいぐるみの内部に、電池と、音発生装置と、スピーカと、音発生装置を作動させるスイッチと、磁石を備え、スイッチには可動片があり、可動片はぬいぐるみの吸着面側に突出し、スイッチの可動片は磁石によりぬいぐるみを金属に吸着させると押し込まれ、ぬいぐるみを金属から外すと戻り、可動片が押し込まれるか又は戻るとスイッチが作動して、音発生装置からの信号がスピーカから出力されることを特徴とする磁石付きぬいぐるみ形状の止め具。
【請求項２】
請求項１記載の磁石付きぬいぐるみ形状の止め具において、電池と、音発生装置と、スピーカと、スイッチと、磁石がケースに装備され、スイッチの可動片がケースの外に突出して、ぬいぐるみの吸着面を金属に吸着させると押し込まれるようにしたことを特徴とする磁石付きぬいぐるみ形状の止め具。
【請求項３】
請求項２記載の磁石付きぬいぐるみ形状の止め具において、磁石がドーナツ形状であり、スイッチの可動片が磁石の内側空間からケースの外まで突出していることを特徴とする磁石付きぬいぐるみ形状の止め具。
【請求項４】
請求項１乃至請求項３のいずれかに記載の磁石付きぬいぐるみ形状の止め具において、音発生装置に記憶されている音が、ぬいぐるみが犬の場合は犬の鳴き声、猫の場合は猫の鳴き声、キャラクター人形の場合はキャラクターの音声といったように、ぬいぐるみの形状に合わせた音、又は、ぬいぐるみの形状とは関係の無い音であることを特徴とする磁石付きぬいぐるみ形状の止め具。
【請求項５】
請求項１乃至請求項４のいずれかに記載の磁石付きぬいぐるみ形状の止め具において、磁石がケースに固定され、スピーカが磁石によりケースに固定されたことを特徴とする磁石付きぬいぐるみ形状の止め具。
【請求項６】
請求項１乃至請求項５のいずれかに記載の磁石付きぬいぐるみ形状の止め具において、金属製の作動防止片をぬいぐるみの外から磁石に吸着・離脱可能とし、吸着時にはスイッチの可動片が押し込まれた状態に保持されて、音発生装置が作動せず、スピーカから音が発生しないようにしたことを特徴とする磁石付きぬいぐるみ形状の止め具。
【発明の詳細な説明】
【技術分野】
【０００１】
本発明の磁石付きぬいぐるみ形状の止め具は、ぬいぐるみを磁石によって冷蔵庫の金属製扉とか金属製のホワイトボードといった各種金属に吸着して、メモ用紙などを止めることができるようにしたものであり、ぬいぐるみが金属に吸着すると、或いは金属から外れると、音が発せられるものである。
【背景技術】
【０００２】
従来、冷蔵庫やホワイトボード等にメモ用紙とか軽量の紙片などを係止しておく止め具として磁石がある。磁石には野菜、果物等の形状をした装飾が施されているものがある。
【発明の開示】
【発明が解決しようとする課題】
【０００３】
従来の前記止め具は、メモ用紙などを止めることはできるが、それ以上の機能は備えていないため、変化に乏しい。
【課題を解決するための手段】
【０００４】
本発明の磁石付きぬいぐるみ形状の止め具は、単に、メモ用紙などを止めるだけでなく、音も出るようしたものであり、メモ用紙などを止めるための磁石と、音を発生する音発生装置とスピーカを備えたものである。
【０００５】
本発明では、前記磁石と、音発生装置と、スピーカと、それらの駆動電源として電池と、スイッチをぬいぐるみの内部に設けて、ぬいぐるみを前記磁石により金属に吸着できるようにしてある。また、ぬいぐるみを金属に吸着させると、スイッチの可動片が押し込まれ、金属から取り外すとスイッチの可動片が戻り、この押し込み、戻りにより前記スイッチがＯＮ又はＯＦＦとなって、音発生装置が作動し、スピーカから音が発生するようにしてある。
【０００６】
前記した電池、音発生装置、スピーカ、スイッチ、磁石はケースに装備し、スイッチの可動片がケースの外に突出して、ぬいぐるみの吸着面を金属に吸着させると押し込まれるようにしてある。磁石をドーナツ形状とし、スイッチの可動片をその磁石の内側空間からケースの外まで突出させて、ぬいぐるみの吸着面を金属に吸着させると押し込まれるようにしてある。音発生装置に記憶されている音は、ぬいぐるみが犬の場合は犬の鳴き声、猫の場合は猫の鳴き声、キャラクター人形の場合はキャラクターの音声といったように、ぬいぐるみの形状に合わせた音としたり、形状とは何ら関係の無い音楽としたりすることができる。
【０００７】
本発明の磁石付きぬいぐるみ形状の止め具は、そのままでは、輸送中や搬送中にスイッチの可動片が押し込まれて、不用意に音声が発生することがある。それを防止するために、金属製の作動防止片をぬいぐるみの外から磁石に吸着・離脱可能とし、吸着時にスイッチの可動片が押された状態に保持されて、音発生装置が作動せず、スピーカから音が発生しないようにしてある。この場合は、作動防止片を外してから使用することになる。
【発明の効果】
【０００８】
本発明の磁石付きぬいぐるみ形状の止め具は次のような効果がある。
（１）ぬいぐるみに磁石が内蔵されているので、ぬいぐるみを金属に吸着させることができる。
（２）ぬいぐるみに音発生装置とスピーカが内蔵されているので、ぬいぐるみを金属に取付けたり、外したりするときに音が発生し、ぬいぐるみが金属に確実に吸着されたこと、或いは逆に、吸着していたぬいぐるみが外れて落下したことを確認することができる。
（３）ぬいぐるみに電池が内蔵されているので、ぬいぐるみを商用電源の無いところでも使用することができる。
【０００９】
本発明の磁石付きぬいぐるみ形状の止め具は次のような効果もある。
（１）ぬいぐるみに内蔵される電池と、音発生装置と、スピーカと、スイッチと、磁石がケースに装備されているので、それらがコンパクトにまとまり、ぬいぐるみへの内蔵が容易になる。
（２）スイッチの可動片がケースの外に突出して、ぬいぐるみの吸着面を金属に吸着させると押し込まれるようにしたので、スイッチがケースに内蔵されても、ぬいぐるみを金属に吸着させたり、取外したりすれば、スイッチの可動片は確実に作動し、音が確実に発生する。
【００１０】
磁石がドーナツ形状であり、スイッチの可動片をその磁石の内側空間からケースの外まで突出しているので、磁石とスイッチをコンパクトにまとめることができる。
【００１１】
（１）音発生装置に記憶されている音を、ぬいぐるみが犬の場合は犬の鳴き声、猫の場合は猫の鳴き声、キャラクター人形の場合はキャラクターの音声といったように、ぬいぐるみの形状に合わせた音にすれば、ぬいぐるみによって音が異なるため、変化に富んだ音となる。
（２）音発生装置に記憶されている音を、ぬいぐるみの形状とは関係の無い音とすれば、音と形状でぬいぐるみを選択して購入することもができる。
【００１２】
磁石がケースに固定され、スピーカが磁石によりケースに固定されているので、ケースへのスピーカの取付けに、取り付け具を用意する必要が無いため、スピーカの取り付けが容易になり、小さなスペースでも取付け可能となる。
【００１３】
金属製の作動防止片をぬいぐるみの外から磁石に吸着・離脱可能とし、吸着時にはスイッチの可動片が押し込まれた状態に保持されて、音発生装置が作動せず、スピーカから音が発生しないようにしたので、磁石付きぬいぐるみ形状の止め具の輸送時や搬送中に不用意に音が出ることが無く、うるさくならない。
【発明を実施するための最良の形態】
【００１４】
本発明の磁石付きぬいぐるみ形状の止め具の実施の形態の例を、実施例１〜３を示して以下に説明する。
【実施例１】
【００１５】
本発明の磁石付きぬいぐるみ形状の止め具の実施例の一を、図面を示して詳細に説明する。本発明の磁石付きぬいぐるみ形状の止め具は、図１に示すように、ぬいぐるみ１の内部に、内蔵ユニット２を備えてなる。ぬいぐるみ１は、本実施例においては、図１に示すように猫の形状に形成されている。ぬいぐるみ１は、ファスナーや面ファスナー等（図示しない）によって開閉可能に形成されており、内蔵ユニット２を出し入れすることができるようにしてある。また、ぬいぐるみ１の形状は、猫の形状には限られず、例えば、犬や熊等、任意の形状とすることができる。また、ぬいぐるみ１には、別途収納部を取付けて、該収納部に内蔵ユニット２を収納するようにすることもできる。その際、収納部は、ぬいぐるみ１が猫の形状であれば魚の形状にしたり、ぬいぐるみ１が犬の形状であれば骨の形状にする等のデザインを施して、全体として物語的な観念を生じさせるようにすることもできる。
【００１６】
前記内蔵ユニット２は、本実施例においては、図１、図２に示すように、ケース３と、該ケース３の、ぬいぐるみ１の吸着面１ａ側の外側面３ａに取り付けられた磁石８とを備えてなる。図２に示すように、前記ケース３内部には、音発生装置４と、スピーカ５と、電池６と、スイッチ７とが備えられている。また、前記磁石８からは、ぬいぐるみ１の吸着面１ａ方向に、前記スイッチ７の可動片９が突出させてある。
【００１７】
前記ケース３は、本実施例においては、樹脂製の上方開口の箱型の筐体である。ケース３には、蓋１０を備えて、開口部を閉じることができるようにしてある。ケース３の形状は、箱型に限られず、内部に前記音発生装置４と、スピーカ５と、電池６と、スイッチ７とを収容できれば、球型、円錐型等、ぬいぐるみ１の形状に応じた任意の形状とすることができる。
【００１８】
前記音発生装置４は、図２に示すように、ケース３内部に備えられ、前記スイッチ７によって作動し、スピーカ５に音信号を送ることができるものである。本実施例では、音発生装置４には、ぬいぐるみ１の形状にあわせて猫の鳴き声が記憶されており、スピーカ５に猫の鳴き声の信号を送ることができるようにしてある。また、音発生装置４に記憶されている音は、ぬいぐるみ１の形状が犬の場合には犬の鳴き声、キャラクター人形の場合はキャラクターの音声といったように、ぬいぐるみの形状に合わせた音としたり、形状とは何ら関係の無い音楽としたりすることもできる。
【００１９】
前記スピーカ５も、図２に示すように、ケース３内部に備えられ、前記音発生装置４に接続されて、音発生装置４から発せられた音信号を、実際に音にして発することができるものである。また、スピーカ５は、スピーカに備えられた磁石が前記ケース３の吸着面側の外側面３ａに取り付けられた磁石８と引き合うことにより、ケース３の内側面に固定される。
【００２０】
前記電池６も、図２に示すように、ケース３内部に備えられ、前記音発生装置４及びスピーカ５に接続されて、駆動電源として作用する。
【００２１】
前記スイッチ７も、図２に示すように、ケース３内部に備えられている。スイッチ７は、前記音発生装置４に接続され、スイッチ７のＯＮ／ＯＦＦによって、音発生装置４を作動させることができるようにしてある。
【００２２】
前記磁石８は、前記のように、ケース３の吸着面側の外側面３ａに取り付けられている。本実施例では、図１及び図２に示すように、磁石８はケース３の外側面３ａに二個取付けられている。磁石８は、ドーナツ形状に形成され、中央部に内側空間１１が形成されている。この磁石８によって、ぬいぐるみ１を金属に吸着させて、メモ用紙等を止めることができるようになる。また、磁石８の数は、二個には限られず、任意の数とすることができる。また、磁石８の磁力も、任意の強度のものを用いることができる。
【００２３】
前記可動片９は、図１及び図２に示すように、磁石８の内側空間１１から外方に突出させて備えられている。可動片９は、磁石８によりぬいぐるみ１の吸着面１ａを金属に吸着させると押し込まれ、ぬいぐるみ１を金属から外すと戻るようにしてあり、本実施例では可動片９が押し込まれたとき及び戻ったときにスイッチ７がＯＮとなるようにしてある。また、可動片９が押し込まれたときと戻ったときのいずれか一方の場合にのみスイッチ７がＯＮとなるようにすることもできる。
従って、本発明の磁石付きぬいぐるみ形状の止め具は、ぬいぐるみを金属に吸着させると、あるいは金属から離すと、音が発せられる。
【００２４】
本発明の磁石付きぬいぐるみ形状の止め具は、そのままでは、輸送中や搬送中にスイッチ７の可動片９が押し込まれて、不用意に音が発生することがある。それを防止するために、本発明の磁石付きぬいぐるみ形状の止め具は、図１に示すような、ぬいぐるみ１の外から磁石８に吸着・離脱可能な金属製の作動防止片１２を備えている。前記作動防止片１２は、図１に示すように、金属板の小片であって、ぬいぐるみ１の上から磁石８に吸着させた場合にスイッチ７の可動片９を押した状態で保持できるものである。しかし、作動防止片１２の形状は板状には限られず、ぬいぐるみ１の上から磁石８に吸着させた場合にスイッチ７の可動片９を押した状態で保持できるものであれば、任意の形状とすることができる。前記作動防止片１２を磁石８に吸着させると、吸着時にスイッチ７の可動片９が押された状態に保持されて、音発生装置４が作動せず、スピーカ５から音が発生しないようにすることができる。その場合に、本発明の止め具を使用するときには、作動防止片１２を外してから使用する。なお、作動防止片１２に薄い金属板を用いた場合、磁石８の磁力によって、本発明の磁石付きぬいぐるみ形状の止め具は、音の出ない止め具として、メモ用紙を止める等して使用することもできる。
【００２５】
（使用例）
本実施例の磁石付きぬいぐるみ形状の止め具を用いて、冷蔵庫の金属製扉にメモ用紙を止め外しする場合は、次のようにする。
（１）ぬいぐるみ１の吸着面１ａと、冷蔵庫の金属製扉との間にメモ用紙を配し、ぬいぐるみ１を金属製扉に吸着させて、メモ用紙を止める。このとき、ぬいぐるみ１内部の、可動片９が押し込まれ、スイッチ７がＯＮとなって、スピーカ５より、猫の鳴き声の音が発せられる。これによって、ぬいぐるみが確実に金属に吸着されたことを確認することができる。
（２）ぬいぐるみ１が金属製扉に取付けられ、メモ用紙が止められている状態では、可動片９を押した状態で保持されるため、音は発生しない。
（３）ぬいぐるみ１を金属製扉から離して、メモ用紙を取り外すと、可動片９の押しが解除されてもとの位置に戻り、スイッチ７がＯＮとなって、スピーカ５より、猫の鳴き声の音が発せられる。これによって、吸着していたぬいぐるみが外れたことを確認でき、また、ぬいぐるみが落下したこと等も確認することができる。
なお、前記のように、本発明の磁石付きぬいぐるみ形状の止め具は、ぬいぐるみ１を金属製扉に吸着させたとき及び金属製扉から離したときのいずれか一方でのみ、スピーカ５より、猫の鳴き声の音が発せられるようにすることもできる。
【実施例２】
【００２６】
本発明の磁石付きぬいぐるみ形状の止め具は、ぬいぐるみ内に、前記実施例１のようなケースを設けず、ぬいぐるみ内に直接、電池と、音発生装置と、スピーカと、音発生装置を作動させるスイッチと、磁石とを配置する構成とすることもできる。
【実施例３】
【００２７】
また、本発明の磁石付きぬいぐるみ形状の止め具は、磁石によってぬいぐるみを金属に吸着させたときに、可動片が押し込まれるように構成される限り、前記実施例１のようなドーナツ形状の磁石を用いずに、別の形状の磁石を用いることもできる。これによって、様々な形状のぬいぐるみを用いた本発明の磁石付きぬいぐるみ形状の止め具を考えることができる。
【産業上の利用可能性】
【００２８】
本発明の磁石付きぬいぐるみ形状の止め具は、冷蔵庫の金属製扉とか金属製のホワイトボードといった各種金属に吸着してメモ用紙などを止めることができるようにしたものであって、音によって、金属に吸着したこと、或いは金属から外れたことを知ることができるほか、玩具として楽しむことも可能である。
【図面の簡単な説明】
【００２９】
【図１】本発明の磁石付きぬいぐるみ形状の止め具の実施例の一つを示す正面図。
【図２】図１に示す磁石付きぬいぐるみ形状の止め具の内部の様子を示す説明図。
【符号の説明】
【００３０】
１  ぬいぐるみ
２  内蔵ユニット
３  ケース
４  音発生装置
５  スピーカ
６  電池
７  スイッチ
８  磁石
９  可動片
１１  内側空間
１２  作動防止片
【図１】
2005168893.tif 000003
【図２】
2005168893.tif 000004